(57)【要約】【課題】消費者が複数商品の購入の決断を円滑に行うことが可能になる商品検索装置及び方法、商品検索システムを提供する。【解決手段】商品データベース１０２から特定商品の画像の物理量を取得する物理量取得部１１６と、特定商品の画像の物理量を、感性空間のブロックを示す情報に変換する第１の変換部１１８と、感性空間のブロックを示す情報を画像の物理量の範囲を示す情報に変換する第２の変換部１２２と、検索対象カテゴリを選択するカテゴリ選択部１２３と、検索対象カテゴリ及び第２の変換部１２２で得られた物理量の範囲を示す情報に基づいて、商品データベース１０２から、検索対象カテゴリ及び注目ブロックに対応するに対応する画像を検索する検索部１２４を備える。【選択図】  図２
2015162193.tif 000002
【特許請求の範囲】
【請求項１】
複数の商品にそれぞれ対応する複数の画像と、前記商品の画像の物理量と、前記商品のカテゴリとを関連付けて記憶する商品データベースを用いる商品検索装置であって、
前記商品データベースから特定商品の画像の物理量を取得する物理量取得部と、
前記取得された特定商品の画像の物理量を、人の感性を表わす複数の感性語が配置された感性空間の複数のブロックのうちで前記特定商品の画像に対応するブロックである特定商品感性ブロックを示す情報に変換する第１の変換部と、
前記第１の変換部で得られた前記特定商品感性ブロックを示す情報に基づいて前記感性空間の前記複数のブロックのうちから選択された注目ブロックを示す情報を、前記注目ブロックに対応する画像の物理量の範囲を示す情報に変換する第２の変換部と、
前記特定商品のカテゴリに基づいて、前記商品データベースに記憶されている複数のカテゴリのうちから検索対象カテゴリを選択するカテゴリ選択部と、
前記カテゴリ選択部で選択された前記検索対象カテゴリ及び前記第２の変換部で得られた前記物理量の範囲を示す情報に基づいて、前記商品データベースから、前記検索対象カテゴリ及び前記注目ブロックに対応する画像を検索する検索部と、
を備える商品検索装置。
【請求項２】
前記カテゴリ選択部は、前記特定商品と同じカテゴリを、前記検索対象カテゴリとして選択する請求項１に記載の商品検索装置。
【請求項３】
前記カテゴリ選択部は、前記特定商品と比較して、身に着ける身体位置が同じである商品のカテゴリを、前記検索対象カテゴリとして選択する請求項１に記載の商品検索装置。
【請求項４】
前記カテゴリ選択部は、前記特定商品と比較して、身に着ける身体位置が隣接する商品のカテゴリ、近接する商品のカテゴリ、又は部分的に重なる商品のカテゴリを、前記検索対象カテゴリとして選択する請求項１に記載の商品検索装置。
【請求項５】
前記商品データベースに記憶されている各カテゴリと人の身体位置との対応関係を示すカテゴリ対身体位置情報を記憶するカテゴリ対身体位置データベースを備え、
前記カテゴリ選択部は、前記カテゴリ対身体位置情報に基づいて前記検索対象カテゴリを選択する請求項３又は４に記載の商品検索装置。
【請求項６】
前記感性空間において前記特定商品感性ブロックに隣接するブロック、近接するブロック、及び部分的に重なるブロックのうちの少なくともひとつを、前記注目ブロックとして選択する注目ブロック選択部を備える請求項１から５のうちいずれか１項に記載の商品検索装置。
【請求項７】
前記特定商品の画像に対応する感性語とは反対の意味の感性語を含むブロックである反対語感性ブロックを、前記注目ブロックとして選択する注目ブロック選択部を備える請求項１から５のうちいずれか１項に記載の商品検索装置。
【請求項８】
前記注目ブロック選択部は、前記感性空間において前記特定商品感性ブロックと前記反対語感性ブロックとの間に配置されているブロックも、前記注目ブロックとして選択する請求項７に記載の商品検索装置。
【請求項９】
ユーザの指定した感性語及びユーザの指定したブロックのうちの少なくとも一方を示す情報を受け付けるユーザ指定情報受付部と、
前記ユーザの指定した感性語に対応する感性空間のブロック又は前記ユーザの指定した感性空間のブロックであるユーザ指定感性ブロックを、前記注目ブロックとして選択する注目ブロック選択部を備える請求項１から５のうちいずれか１項に記載の商品検索装置。
【請求項１０】
前記注目ブロック選択部は、前記感性空間において前記特定商品感性ブロックと前記ユーザ指定感性ブロックとの間に配置されているブロックも、前記注目ブロックとして選択する請求項９に記載の商品検索装置。
【請求項１１】
互いに反対の意味を持つ第１の感性語及び第２の感性語にそれぞれに対応するブロックである第１の感性語ブロック及び第２の感性語ブロックと特定商品感性ブロックの３つのブロックを結ぶ曲線上に配置されているブロックを、注目ブロックとして選択する注目ブロック選択部を備える請求項１から５のうちいずれか１項に記載の商品検索装置。
【請求項１２】
前記感性空間の各ブロックを示す情報と前記複数の商品の画像の物理量の範囲との対応関係を示す変換データを記憶する変換データベースを備え、
前記第２の変換部は、前記変換データに基づいて変換を行う請求項１から１１のうちのいずれか１項に記載の商品検索装置。
【請求項１３】
前記物理量は、色特徴量、形特徴量、柄特徴量、及び質感特徴量のうちの少なくとも１つである請求項１から１２のうちのいずれか１項に記載の商品検索装置。
【請求項１４】
前記検索部で検索された画像を出力する出力部を備える請求項１から１３のうちのいずれか１項に記載の商品検索装置。
【請求項１５】
請求項１から１４のうちのいずれか１項に記載の商品検索装置を構成するサーバ装置と、前記サーバ装置にネットワークを介して接続されるクライアント装置とを備える商品検索システムにおいて、
前記クライアント装置は、
表示部と、
前記特定商品を示す情報、又は前記特定商品の画像を示す情報の入力を受け付けるクライアント入力部と、
前記クライアント入力部で受け付けた情報を、前記サーバ装置に送信する端末送信部と、
前記ネットワークを介して前記サーバ装置から送信される前記検索された画像を受信する端末受信部と、
前記端末受信部で受信した前記画像を、前記表示部に表示させる制御部と、
を有し、
前記サーバ装置の前記物理量取得部は、前記クライアント装置から送信される情報と、前記商品データベースに記憶された情報とに基づいて、前記特定商品の画像の物理量を取得し、
前記サーバ装置は、前記検索された画像を前記クライアント装置に送信する、
商品検索システム。
【請求項１６】
複数の商品にそれぞれ対応する複数の画像と、前記商品の画像の物理量と、前記商品のカテゴリとを関連付けて記憶する商品データベースを用いる商品検索方法であって、
前記商品データベースから特定商品の画像の物理量を取得する工程と、
前記取得された特定商品の画像の物理量を、人の感性を表わす複数の感性語が配置された感性空間の複数のブロックのうちで前記特定商品の画像に対応するブロックである特定商品感性ブロックを示す情報に変換する第１の変換工程と、
前記第１の変換工程で得られた前記特定商品感性ブロックを示す情報に基づいて前記感性空間の前記複数のブロックのうちから選択された注目ブロックを示す情報を、前記注目ブロックに対応する画像の物理量の範囲を示す情報に変換する第２の変換工程と、
前記特定商品のカテゴリに基づいて、前記商品データベースに記憶されている複数のカテゴリのうちから検索対象カテゴリを選択するカテゴリ選択工程と、
前記カテゴリ選択工程で選択された前記検索対象カテゴリ及び前記第２の変換工程で得られた前記物理量の範囲を示す情報に基づいて、前記商品データベースから、前記検索対象カテゴリ及び前記注目ブロックに対応する画像を検索する工程と、
を含む商品検索方法。
【発明の詳細な説明】
【技術分野】
【０００１】
本発明は、消費者が複数商品の購入の決断を円滑に行うことが可能になる商品検索装置及び方法、商品検索システムに関する。
【背景技術】
【０００２】
従来、ユーザにより例示画メニューから特定の画像が選択されると、その特定の画像と比較して人の感じる印象がほぼ等しい類似画像をデータベースから検索する技術が知られている。
【０００３】
特許文献１は、デザイナーが任意の画像から感じる印象を特定するのに用いる感性特徴量と、画像処理結果から演算で抽出される物理特徴量との相関関係を、統計的手法で予め求めておき、デザイン時の画像検索では、入力画像の感性特徴量と登録画像の感性特徴量との空間的距離（ユークリッド距離）を求めて画像検索を行う構成を開示している。具体的には、感性特徴量の座標軸（例えば、ハード／ソフト軸、及びウォーム／クール軸）からなる座標空間において、ユーザにより例示画メニューから指定された特定の類似指定画像の座標位置及び特定の非類似指定画像の座標位置によって定まる線分に基づいて画像検索の中心点を求め、この中心点からの空間的距離が近いｎ個の登録画像を最も近い登録画像から順にデータベースから検索する。これにより、検索を希望する画像とぴったり合致する画像が例示画メニューにない場合や、例示画に対して着色変更、模様変更等の軽微なバリエーションを加えた場合でも、ユーザにより指定された特定の画像と比べて人の感じる印象がほぼ等しい画像を、精度よく検索して表示できる。
【０００４】
特許文献２は、図柄見本として複数の登録画像を物理特徴量とともにデータベースに予め記憶させておき、デザイン時の画像検索では、物理特徴量の座標軸（例えば、線の太さ軸、左右対称度軸、及び空間の密度軸）からなる座標空間において、基準座標位置のシフトルールを定める感性語（例えば「もう少しシャープな」）がユーザにより指示入力されると、特定の画像の物理特徴量に対応する基準座標位置から、入力された感性語に対応したシフト（例えば線の太さの値がより小さい座標位置へのシフト）を行い、シフトされた基準座標位置を中心として空間的距離の短い画像をデータベースから検索する構成を、開示している。これにより、ユーザにより指定された特定の画像と比べて人の感じる印象がほぼ等しい画像を、精度よく検索して表示できる。
【先行技術文献】
【特許文献】
【０００５】
【特許文献１】特開平8-249353号公報
【特許文献２】特開平9-114853号公報
【発明の概要】
【発明が解決しようとする課題】
【０００６】
消費者の端末装置（以下「クライアント装置」という）にネットワークを介して推奨商品の画像を表示させる場合、消費者が商品画像から感じる印象を考慮せずに、ランダムに複数の推奨商品の画像を表示すると、画像が無秩序に表示されて消費者が買いたい商品を絞りきれないという問題や、お気に入りの商品が見つかるまでに消費者が疲れてしまうという問題がある。つまり、単にランダムに推奨商品の画像を表示するだけでは、消費者が購入決断し難いという問題がある。特に、服とズボンなど複数のカテゴリにわたって異なる複数の商品を購入する場合、消費者はコーディネイトに戸惑ってしまい、ネットショッピングの購入決断を行わない確率が高くなる。また、消費者がひとつのカテゴリで異なる複数商品の購入を希望する場合にも、消費者がコーディネイトに戸惑ってしまう場合がある。
【０００７】
また、特許文献１、２に開示されているようなデザイナー向けの公知の画像検索技術を一般消費者向けの商品推奨用の画像検索に適用することも考えられる。しかしながら、上記の特許文献１、２に記載された従来技術は、デザイナー向けの画像検索技術であって、既に創り出されたデザインから類似デザインを次々と創り出そうとするデザイナーにとっては確かに効率よいかもしれないが、複数商品を同時に購入することを希望する消費者に適した商品推奨用の画像検索技術が提供されていない。
【０００８】
本発明はこのような事情に鑑みてなされたもので、消費者が複数商品の購入の決断を円滑に行うことが可能になる商品検索装置及び方法、商品検索システムを提供することを目的とする。
【課題を解決するための手段】
【０００９】
上記の目的を達成するために、本発明は、複数の商品にそれぞれ対応する複数の画像と、商品の画像の物理量と、商品のカテゴリとを関連付けて記憶する商品データベースを用いる商品検索装置であって、商品データベースから特定商品の画像の物理量を取得する物理量取得部と、取得された特定商品の画像の物理量を、人の感性を表わす複数の感性語が配置された感性空間の複数のブロックのうちで特定商品の画像に対応するブロックである特定商品感性ブロックを示す情報に変換する第１の変換部と、第１の変換部で得られた特定商品感性ブロックを示す情報に基づいて感性空間の複数のブロックのうちから選択された注目ブロックを示す情報を、注目ブロックに対応する画像の物理量の範囲を示す情報に変換する第２の変換部と、商品データベースから取得される特定商品のカテゴリに基づいて、商品データベースに記憶されている複数のカテゴリのうちから検索対象カテゴリを選択するカテゴリ選択部と、カテゴリ選択部で選択された検索対象カテゴリ及び第２の変換部で得られた物理量の範囲を示す情報に基づいて、商品データベースから、検索対象カテゴリ及び注目ブロックに対応する画像を検索する検索部と、を備える商品検索装置を提供する。
【００１０】
本発明により、感性空間を介して物理量の検索範囲が選択される一方で、特定商品のカテゴリに基づいてカテゴリの検索範囲が選択されるので、消費者がひとつのカテゴリで異なる複数商品の購入を希望する場合でも、あるいは消費者が異なる複数のカテゴリにわたって複数商品の購入を希望する場合でも、特定商品を基にしつつ人の感性に応じた商品推奨が可能になり、消費者が複数商品の購入の決断を円滑に行うことが可能になる。
【００１１】
本発明の一態様では、カテゴリ選択部は、特定商品と同じカテゴリを、検索対象カテゴリとして選択する。これにより、ひとつのカテゴリで複数商品を購入することを消費者が希望する場合に、消費者の購入決断を促すことが可能になる。
【００１２】
本発明の一態様では、カテゴリ選択部は、特定商品と比較して、身に着ける身体位置が同じである商品のカテゴリを、検索対象カテゴリとして選択する。これにより、複数のカテゴリにわたり複数商品を購入することを消費者が希望する場合に、消費者の購入決断を促すことが可能になる。
【００１３】
本発明の一態様では、カテゴリ選択部は、特定商品と比較して、身に着ける身体位置が隣接する商品のカテゴリ、近接する商品のカテゴリ、又は部分的に重なる商品のカテゴリを、検索対象カテゴリとして選択する。これにより、身に着ける位置が異なる複数のカテゴリにわたり複数商品を購入することを消費者が希望する場合に、消費者の購入決断を促すことが可能になる。
【００１４】
本発明の一態様では、商品データベースに記憶されている各カテゴリと人の身体位置との対応関係を示すカテゴリ対身体位置情報を記憶するカテゴリ対身体位置データベースを備え、カテゴリ選択部は、カテゴリ対身体位置情報に基づいて検索対象カテゴリを選択する。これにより、身に着ける位置が異なる複数のカテゴリにわたり複数商品を購入することを消費者が希望する場合に、消費者の購入決断を促すことが可能になる。
【００１５】
本発明の一態様では、感性空間において特定商品感性ブロックに隣接するブロック、近接するブロック、及び部分的に重なるブロックのうちの少なくともひとつを、注目ブロックとして選択する注目ブロック選択部を備える。これにより、特定商品とは人の感じる印象が少しだけ異なる非類似画像の商品をユーザが選択可能となるので、ユーザの選択範囲を適切な範囲とすることが可能になる。
【００１６】
本発明の一態様では、特定商品の画像に対応する感性語とは反対の意味の感性語を含むブロックである反対語感性ブロックを、注目ブロックとして選択する注目ブロック選択部を備える。これにより、特定商品とは感性的に全く異なる画像の商品をユーザに推奨可能となり、ユーザの購入意欲を促進させることができる。
【００１７】
本発明の一態様では、注目ブロック選択部は、感性空間において特定商品感性ブロックと反対語感性ブロックとの間に配置されているブロックも、注目ブロックとして選択する。これにより、反対語感性ブロックのみでなく、特定商品感性ブロックと反対語感性ブロックとの間に配置されているブロックも検索範囲となるので、ユーザの商品の選択範囲を適切な範囲に広げることが可能となる。
【００１８】
本発明の一態様では、ユーザの指定した感性語及びユーザの指定したブロックのうちの少なくとも一方を示す情報を受け付けるユーザ指定情報受付部と、ユーザの指定した感性語に対応する感性空間のブロック又はユーザの指定した感性空間のブロックであるユーザ指定感性ブロックを、注目ブロックとして選択する注目ブロック選択部を備える。これにより、ユーザ指定に応じて特定商品とは非類似画像の商品を推奨することが可能になる。
【００１９】
本発明の一態様では、注目ブロック選択部は、感性空間において特定商品感性ブロックとユーザ指定感性ブロックとの間に配置されているブロックも、注目ブロックとして選択する。これにより、ユーザ指定感性ブロックのみでなく、特定商品感性ブロックとユーザ指定感性ブロックとの間に配置されているブロックも検索範囲となるので、ユーザの商品の選択範囲を適切な範囲に広げることが可能となる。
【００２０】
本発明の一態様では、互いに反対の意味を持つ第１の感性語及び第２の感性語にそれぞれに対応するブロックである第１の感性語ブロック及び第２の感性語ブロックと特定商品感性ブロックの３つのブロックを結ぶ曲線上に配置されているブロックを、注目ブロックとして選択する注目ブロック選択部を備える。
【００２１】
本発明の一態様では、感性空間の各ブロックを示す情報と複数の商品の画像の物理量の範囲との対応関係を示す変換データを記憶する変換データベースを備え、第２の変換部は、変換データに基づいて変換を行う。
【００２２】
本発明の一態様では、物理量は、色特徴量、形特徴量、柄特徴量、及び質感特徴量のうちの少なくとも１つである。
【００２３】
本発明の一態様では、検索部で検索された画像を出力する出力部を備える。
【００２４】
また、本発明は、上記の商品検索装置を構成するサーバ装置と、サーバ装置にネットワークを介して接続されるクライアント装置とを備える商品検索システムにおいて、クライアント装置は、表示部と、特定商品を示す情報、又は特定商品の画像を示す情報の入力を受け付けるクライアント入力部と、クライアント入力部で受け付けた情報を、サーバ装置に送信する端末送信部と、ネットワークを介してサーバ装置から送信される検索された画像を受信する端末受信部と、端末受信部で受信した画像を、表示部に表示させる制御部と、を有し、サーバ装置の物理量取得部は、クライアント装置から送信される情報と、商品データベースに記憶された情報とに基づいて、特定商品の画像の物理量を取得し、サーバ装置は、検索された画像をクライアント装置に送信する、商品検索システムを提供する。
【００２５】
また、本発明は、複数の商品にそれぞれ対応する複数の画像と、商品の画像の物理量と、商品のカテゴリとを関連付けて記憶する商品データベースを用いる商品検索方法であって、商品データベースから特定商品の画像の物理量を取得する工程と、取得された特定商品の画像の物理量を、人の感性を表わす複数の感性語が配置された感性空間の複数のブロックのうちで特定商品の画像に対応するブロックである特定商品感性ブロックを示す情報に変換する第１の変換工程と、第１の変換工程で得られた特定商品感性ブロックを示す情報に基づいて感性空間の複数のブロックのうちから選択された注目ブロックを示す情報を、注目ブロックに対応する画像の物理量の範囲を示す情報に変換する第２の変換工程と、商品データベースから取得される特定商品のカテゴリに基づいて、商品データベースに記憶されている複数のカテゴリのうちから検索対象カテゴリを選択するカテゴリ選択工程と、カテゴリ選択工程で選択された検索対象カテゴリ及び第２の変換工程で得られた物理量の範囲を示す情報に基づいて、商品データベースから、検索対象カテゴリ及び注目ブロックに対応する画像を検索する工程と、を含む商品検索方法を提供する。
【発明の効果】
【００２６】
本発明によれば、消費者がひとつのカテゴリで異なる複数商品の購入を希望する場合あるいは消費者が異なる複数のカテゴリにわたって複数商品の購入を希望する場合でも、消費者が複数商品の購入の決断を円滑に行うことが可能になる商品検索装置及び方法、商品検索システムを提供することができる。
【図面の簡単な説明】
【００２７】
【図１】商品検索システムのシステム構成図
【図２】サーバ装置（商品検索装置）の要部構成例を示すブロック図
【図３】商品データベースの構成例を示す図
【図４】カテゴリ対身体位置データベースの構成例を示す図
【図５】感性空間の概念図（感性語をグループ化してブロックに区画した態様）
【図６】感性空間の概念図（感性語ごとのブロックに区画した態様）
【図７】感性空間の一例を示す図
【図８】感性空間の他の例を示す図
【図９】感性空間データベースの構成例を示す図
【図１０】変換データベースの構成の一例を示す図
【図１１】変換データベースの構成の他の例を示す図
【図１２】要部処理の流れの説明に用いる第１の説明図
【図１３】要部処理の流れの説明に用いる第２の説明図
【図１４】身体位置の説明に用いる説明図
【図１５】クライアント装置の構成例を示すブロック図
【図１６】第１実施形態における注目ブロック選択の一例の説明に用いる説明図
【図１７】第１実施形態における注目ブロック選択の他の例の説明に用いる説明図
【図１８】第１実施形態における商品検索システム全体の処理の流れを示す図
【図１９】第２実施形態における注目ブロック選択の一例の説明に用いる説明図
【図２０】第３実施形態における商品検索システム全体の処理の流れを示す図
【図２１】第３実施形態における注目ブロック選択の一例の説明に用いる説明図
【図２２】第４実施形態における注目ブロック選択の一例の説明に用いる説明図
【図２３】商品検索システムのバリエーションの説明に用いる第１のシステム構成図
【図２４】商品検索システムのバリエーションの説明に用いる第２のシステム構成図
【発明を実施するための形態】
【００２８】
以下、添付図面に従って、本発明の実施形態について、詳細に説明する。
【００２９】
図１は、商品検索システムのシステム構成図である。
【００３０】
図１において、商品検索システム１は、本発明の商品検索装置の一形態に相当するサーバ装置１０と、ユーザの端末であるクライアント装置１１とが、インターネット等のネットワーク１２を介して接続される構成である。
【００３１】
図２は、サーバ装置１０の要部構成例を示すブロック図である。
【００３２】
本例のサーバ装置１０は、商品データベース１０２から商品画像を検索する商品検索装置１００を構成するサーバ装置であり、複数の商品にそれぞれ対応する複数の商品画像と商品画像の物理量と商品のカテゴリとを関連付けて記憶する商品データベース１０２と、人の感性を表わす複数の感性語が配置された感性空間における各種の情報（以下「感性空間情報」という）を互いに関連付けて記憶する感性空間データベース１０４と、商品データベース１０２に記憶されている商品画像の物理量と感性空間データベース１０４に記憶されている感性空間情報とを変換するためのデータを記憶する変換データベース１０６と、商品データベース１０２に記憶されている各カテゴリと人の身体位置との対応関係を示すカテゴリ対身体位置情報を記憶するカテゴリ対身体位置データベース１０８と、クライアント装置１１から情報入力を行う入力部１１２ａ及びクライアント装置１１に情報出力を行う出力部１１２ｂを有する外部入出力部１１２と、クライアント装置１１に表示させる画面情報を生成する画面情報生成部１１４と、商品データベース１０２から特定商品の画像の物理量を取得する物理量取得部１１６と、変換データベース１０６を用いて、特定商品の画像の物理量を感性空間の複数のブロックのうちで特定商品の画像に対応するブロック（以下「特定商品感性ブロック」という）を示す情報に変換する第１の変換部１１８と、感性空間データベース１０４を用いて、特定商品感性ブロックを示す情報に基づいて感性空間の複数のブロックのうちから特定商品感性ブロックとは同じ又は異なるブロックを注目ブロックとして選択する注目ブロック選択部１２０と、変換データベース１０６を用いて、感性空間の注目ブロック示す情報を注目ブロックに対応する商品画像の物理量の範囲を示す情報に変換する第２の変換部１２２と、カテゴリ対身体位置データベース１０８を用い、特定商品のカテゴリに基づいて、商品データベース１０２に記憶されている複数のカテゴリのうちから検索対象カテゴリを選択するカテゴリ選択部１２３と、カテゴリ選択部１２３で選択された検索対象カテゴリ及び第２の変換部１２２で得られた物理量の範囲を示す情報に基づいて商品データベース１０２から検索対象カテゴリ及び注目ブロックに対応する商品画像を検索する検索部１２４と、を含んで構成される。検索部１２４で検索された商品画像は、出力部１１２ｂによりクライアント装置１１に対して出力される。
【００３３】
＜商品データベース＞
図３は、商品データベース１０２の構成例を示す図である。商品データベース１０２は、複数の商品にそれぞれ対応する複数の商品画像１３２と、商品画像１３２の物理量１３４と、商品のカテゴリ１３６とを関連付けて記憶する。商品画像１３２の物理量１３４（「物理特徴量」ともいう）として、商品画像１３２の色特徴量、形特徴量、柄特徴量、及び質感特徴量が含まれる。
【００３４】
また、商品データベース１０２は、商品画像１３２の物理量１３４及び商品のカテゴリ１３６とは別に、商品の値段等、商品についての各種の属性情報を、商品画像１３２に関連付けて記憶するようにしてもよい。
【００３５】
色特徴量は、商品画像の色に関する特徴量である。例えば、商品画像の代表色又は配色（色の組み合わせ）を示す。本例では、商品画像を画像解析することにより計測された色特徴量が商品データベース１０２に記憶される。
【００３６】
形特徴量は、商品画像に表された商品の全部又は部分の形状に関する特徴量である。例えば、商品の幅の細さ／太さの程度、商品が衣服であれば、袖の長さ、襟の形状、大きさ及び／又は角度、首元の空き面積の大きさ、Ｖネックの角度、Ｕネックの曲率などを示す特徴量が例として挙げられる。形特徴量には、装飾品（例えばリボン）の形状、大きさなどを示す特徴量が含まれる。本例では、商品画像を画像解析することにより計測された形特徴量が商品データベース１０２に記憶される。
【００３７】
柄特徴量は、商品画像内の柄の種類（例えば花柄）、サイズ等を示す。本例では、商品画像を画像解析することにより計測された柄特徴量が商品データベース１０２に記憶される。
【００３８】
質感特徴量は、商品画像の光沢等の質感の程度を示す。本例では、商品画像を画像解析することにより計測された柄特徴量が商品データベース１０２に記憶される。
【００３９】
商品のカテゴリ１３６は、言い換えると商品の種類である。人の身体に身に着ける商品の場合、例えば、Ｔシャツ、セーター、コート、ジーンズ、スカートなどである。
【００４０】
＜カテゴリ対身体位置データベース＞
図４は、カテゴリ対身体位置データベース１０８の構成例を示す図である。図４のカテゴリ対身体位置データベース１０８は、人体に身に着ける商品に関するデータベースであって、商品データベース１０２に記憶されている各カテゴリと人の身体位置との対応関係を示すカテゴリ対身体位置情報を記憶する。
【００４１】
「身体位置」は、人の身体上の位置を示す情報であって、商品を装着可能な位置を示す。例えば、胴体、脚、頭などである。商品の形状に合わせて、身体位置を定義してもよい。例えば、Ｔシャツ、セーター、ジーンズ、スカートの４カテゴリのみであれば、上半身、下半身の２つの身体位置のみ定義してもよい。カテゴリに帽子を加えるのであれば頭部、カテゴリに手袋を加えるのであれば手、カテゴリに靴を加えるのであれば足、というように「身体位置」を追加していけばよい。
【００４２】
＜感性空間及び感性空間データベース＞
図５及び図６は、感性空間の概念図である。図５の感性空間と図６の感性空間とは、座標軸（第１の感性特徴量の軸及び第２の感性特徴量の軸）及び感性語（ＷＯＲＤ１〜ＷＯＲＤ２８）が同じである。ただし、図５の感性空間は複数の感性語をグループ化してブロック（Ｂ１〜Ｂ１３）を構成した態様であるのに対し、図６の感性空間は感性語ごとにブロックを構成した態様である点で異なる。ブロックをいずれの態様とするかは限定されない。また、図５のように複数の感性語をグループ化してブロックを構成した態様と図６のように感性語ごとにブロックを構成した態様とを併用してもよい。尚、図５及び図６は感性空間の概念を説明するために例示したものであり、座標軸の数（感性空間の次元数）、座標軸を構成する感性特徴量の種類、感性語の数及び種類、ブロックの数、形及びサイズなどは、特に限定されない。
【００４３】
本明細書の感性空間は、次の（特徴１）〜（特徴３）を有する。
【００４４】
（特徴１）感性空間は、複数の感性特徴量を軸とした複数次元座標空間である。図５及び図６に例示された感性空間は、第１の感性特徴量の軸（Ｘ軸）及び第２の感性特徴量の軸（Ｙ軸）からなる二次元であるが、三次元以上でもよい。尚、感性特徴量は、画像を観察した人の印象の程度を示す。
【００４５】
（特徴２）複数の感性語が、感性空間の軸を構成する感性特徴量と関連付けられて、感性空間に配置されている。図５及び図６に例示された感性空間では、２８個の感性語ＷＯＲＤ１〜ＷＯＲＤ２８が配置されているが、感性語の数は特に限定されない。尚、感性語は、画像を観察した人の印象を表わす言葉である。
【００４６】
（特徴３）感性空間は、複数のブロック（以下「感性ブロック」ともいう）に区画されており、各ブロックに一語以上の感性語が属している。感性ブロックの数及び形状は、特に限定されない。
【００４７】
図７〜図８は、株式会社日本カラーデザイン研究所から開示されたイメージスケールを示す（小林重順著「カラーシステム」（講談社）、及びhttp://www.ncd-ri.co.jp/about/image_system.htmlを参照）。ここで「イメージスケール」は、「感性空間」の一形態に相当する。
【００４８】
図７に示されたイメージスケールは、第１の感性特徴量の軸に相当するＷＡＲＭ（暖かい）／ＣＯＯＬ（冷たい）の程度を示す横軸、及び第２の感性特徴量の軸に相当するＨＡＲＤ（かたい）／ＳＯＦＴ（やわらかい）の程度を示す縦軸からなる。また、６６個の感性語が配置され、１６個のブロックに区画されている。
【００４９】
図８に示されたイメージスケールは、図７と同様の二軸（ＷＡＲＭ／ＣＯＯＬ軸、ＨＡＲＤ／ＳＯＦＴ軸）からなり、色特徴量として単色が対応付けられている。尚、図８では図示の都合上グレースケールで単色が表されているが、実際はカラーで表される。例えば、「ＷＡＲＭ」（図中の左端側）には赤やオレンジなどの暖色系の色、「ＣＯＯＬ」（図中の右端側）には青や青緑系などの寒色系の色、「ＳＯＦＴ」（図中の上端側）にベリーペール、ペールなどの淡いトーンの色、「ＨＡＲＤ」（図中の下端側）にダークグレッシュ、ディープなどの暗いトーンの色が、対応付けられている。図中で、位置の近い色同士は人の感じる印象が近く、位置の遠い色同士は人の感じる印象も遠いということになる。図の右下や左上には単色の配置されていない部分があるが、複数色配色（言い換えると「複数色の組み合わせ」）を配置可能である。
【００５０】
尚、図８では単色の色特徴量を対応付けた感性空間を例示したが、本発明で用いる感性空間は、このような場合に特に限定されない。株式会社日本カラーデザイン研究所から開示された文献に記載されているように、物理量で表される物理計測空間での色特徴量として複数色配色に着目し、複数色配色を感性空間に対応付けてもよい。このように複数色配色も色特徴量として用いることで、感性空間中で単色の配置が不可能又は適切でない部分にも、色特徴量を対応付けることが可能になる。また、形特徴量、柄特徴量、質感特徴量を感性空間に対応付けてもよい。
【００５１】
感性空間データベース１０４は、図５〜図８に例示した感性空間における情報である感性空間情報（例えば軸を構成する感性特徴量、感性語、ブロック等）を互いに関連付けて記憶する。
【００５２】
図９に例示する感性空間データベース１０４は、感性空間情報として、次の情報を記憶する。
・各ブロックのブロック識別情報
・各ブロックの感性空間における範囲情報（例えば、ブロックの各頂点の座標、あるいは輪郭情報など）
・各ブロック間の感性空間における遠近情報（例えば、ブロック間の近接／非近接、隣接／非隣接、重なり有／無など）
・各ブロックに属する感性語
・感性語間の意味上の対応関係情報（例えば、反対語の組み合わせ、類似語の組み合わせなど）
尚、図５に示した態様のように複数の感性語をグループ化したブロック（以下「大ブロック」という）と、図６に示した態様のように感性語ごとのブロック（以下「小ブロック」という）とを併用する場合には、大ブロックの感性空間情報（ブロック識別情報、範囲情報、距離情報、感性語）と、小ブロックの感性空間情報（ブロック識別情報、範囲情報、距離情報、感性語）とを、感性空間データベース１０４に記憶させる。
【００５３】
また、図６に示した小ブロックのみを用いる場合、ブロック識別情報を感性語で代用することが可能である。
【００５４】
＜変換データベース＞
図１０及び図１１は、変換データベース１０６の一例を示す。
【００５５】
図１０の変換データベース１０６は、物理量の範囲とブロックを示す情報との対応関係を示す変換データテーブルＴ１を含んで構成されている。ブロックを示す情報としては、例えば、感性空間データベース１０４に記憶されている、ブロック識別情報、各ブロックの感性空間における範囲情報を用いることができる。
【００５６】
図１１の変換データベース１０６は、物理量の範囲と感性語との対応関係を示す変換データテーブルＴ２を含んで構成されている。即ち、図１０の変換データテーブルＴ１における「ブロックを示す情報」として感性語を用いたデータテーブルである。例えば、図５に示した大ブロックの態様において各ブロックを代表する感性語（代表感性語）を定めている場合や、図６に示した小ブロックの態様の場合に、図１１の変換データベースを用いることができる。
【００５７】
＜要部処理＞
図１２に示す要部処理は、人の受ける印象がほぼ同じ商品画像を検索する場合である。
【００５８】
図１２において、本発明の商品検索装置１００は、次のステップＳ１〜Ｓ６を行う。
【００５９】
ステップＳ１（物理量取得工程）では、物理量取得部１１６により、商品データベース１０２から、特定商品の画像の物理量を取得する。ここで、特定商品の画像とは、商品画像検索の基準となる商品画像であり、クライアント装置１１でユーザにより指示入力される態様と、サーバ装置１０で決定する態様とがある。いずれの態様とするかをユーザにより切り換え操作可能にしてもよい。尚、図１２では、Ｒ，Ｇ，Ｂの三次元で表された色特徴量ａ、サイズ及び密度の二次元で表された柄特徴量ｂ、透け度及び光沢度の二次元で表された質感特徴量ｃを例示したが、これらの特徴量には限定されない。例えば、形特徴量を物理特徴量として用いてもよい。
【００６０】
ステップＳ２（第１の変換工程）では、第１の変換部１１８により、変換データベース１０６を用いて、ステップＳ１で取得された特定商品の画像の物理量を、感性空間の複数のブロックのうちで特定商品の画像に対応する特定商品感性ブロックを示す情報に変換する。例えば、特定商品感性ブロックを示す情報として、特定商品感性ブロックのブロック識別情報、又は特定商品感性ブロックを代表する感性語に、変換する。
【００６１】
ステップＳ３（注目ブロック選択工程）では、注目ブロック選択部１２０により、特定商品感性ブロックを、検索のために注目する注目ブロックとして選択する。
【００６２】
ステップＳ４（第２の変換工程）では、第２の変換部１２２により、変換データベース１０６を用い、感性空間の注目ブロックを示す情報を、注目ブロックに対応する商品画像の物理量の範囲を示す情報に変換する。例えば、注目ブロックのブロック識別情報（あるいは感性語）を、物理量の範囲情報（例えば物理量の上限及び下限を示す情報）に変換する。各ブロックに代表感性語が定められている場合、あるいはブロックと感性語とが１対１である場合には、注目ブロックの感性語を物理量の範囲情報に変換する。
【００６３】
ステップＳ５(カテゴリ選択工程)では、カテゴリ選択部１２３により、特定商品のカテゴリに基づいて、商品データベース１０２に記憶されている複数のカテゴリのうちから検索対象カテゴリを選択する。
【００６４】
ステップＳ６（検索工程）では、検索部１２４により、ステップＳ５で選択された検索対象カテゴリ及びステップＳ４で得られた物理量の範囲を示す情報に基づいて、商品データベース１０２から、検索対象カテゴリ及び注目ブロックに対応する商品画像が検索される。
【００６５】
図１３に示す要部処理は、人の受ける印象が異なる商品画像を検索する場合である。
【００６６】
ステップＳ１１及びＳ１２は、図１２のステップＳ１及びＳ２と同様である。
【００６７】
ステップＳ１３（注目ブロック選択工程）では、注目ブロック選択部１２０により、感性空間データベース１０４を用いて、ステップＳ２で得られた特定商品感性ブロックを示す情報に基づいて、感性空間の複数のブロックのうちから特定商品感性ブロックとは異なるブロックが選択される。つまり、感性空間上で、特定商品画像に対応するブロックである特定商品感性ブロックから、特定商品画像とは非類似の商品画像に対応するブロックであって且つユーザの注目する可能性が高いと予測されるブロックである注目ブロックに、移動する。
【００６８】
ステップＳ１４〜Ｓ１６は、図１２のステップＳ４〜Ｓ６と同様である。
【００６９】
＜カテゴリ選択＞
カテゴリ選択部１２３によるカテゴリ選択の各種の態様について説明する。
【００７０】
第１の態様では、カテゴリ選択部１２３は、特定商品と同じカテゴリを、検索対象カテゴリとして選択する。例えば、特定商品のカテゴリが「セーター」である場合に、検索対象カテゴリに「セーター」を選択する。尚、第１の態様では、カテゴリ対身体位置データベース１０８を参照しなくても検索対象カテゴリを選択できる。
【００７１】
第２の態様では、カテゴリ選択部１２３は、特定商品と比較して、身に着ける身体位置が同じである商品のカテゴリを、検索対象カテゴリとして選択する。例えば、図１４の人体７０において、特定商品のカテゴリの身体位置が胴体部７１であれば、検索対象カテゴリも胴体部７１に身に着けられるカテゴリを選択する。同様に、特定商品のカテゴリの身体位置が脚部７２、頭部７３、手７４、足７５であれば、検索対象カテゴリとして、それぞれ脚部７２、頭部７３、手７４、足７５に身に着けられるカテゴリを選択する。第２の態様では、カテゴリ選択部１２３は、図４のカテゴリ対身体位置データベース１０８を用い、特定商品のカテゴリの身体位置に基づいて検索対象カテゴリを選択する。
【００７２】
第３の態様では、カテゴリ選択部１２３は、特定商品と比較して、身に着ける身体位置が隣接する商品のカテゴリ、近接する商品のカテゴリ、又は部分的に重なる商品のカテゴリを、検索対象カテゴリとして選択する。ここで、隣接とは、商品を身に着けたときに商品間で隣接することをいう。近接とは、商品を身に着けたときに商品間で近接することをいう。「近接」は、「隣接」以外に、商品間で接していない場合を含む。部分的に重なるとは、商品を身に着けたときに商品間で重なる部分があることをいう。第３の態様では、カテゴリ選択部１２３は、図４のカテゴリ対身体位置データベース１０８を用い、特定商品のカテゴリの身体位置に基づいて検索対象カテゴリを選択する。
【００７３】
カテゴリ対身体位置データベース１０８を用いるカテゴリ選択は、上記の第２及び第３の態様には特に限定されない。複数のカテゴリの組み合わせと、複数の身体位置の組み合わせとの対応関係情報をカテゴリ対身体位置データベースに予め記憶させておき、カテゴリ選択部１２３により参照することで、様々なカテゴリ及び身体位置の組み合わせに対応できる。
【００７４】
＜クライアント装置＞
図１５は、クライアント装置１１の構成例を示すブロック図である。本例のクライアント装置１１は、サーバ装置１０の出力部１１２ｂから送信された情報を受信入力する端末受信部５２ａ及びサーバ装置１０の入力部１１２ａで受信される情報を送信出力する端末送信部５２ｂを有する外部入出力部５２と、画像を表示可能な表示部５４と、ユーザ入力を受け付けるクライアント入力部５６と、クライアント装置１１の各部を制御する制御部５８と、各種の情報を記憶する記憶部６０とを含んで構成されている。
【００７５】
クライアント入力部５６により、特定商品を示す情報、又は特定商品の画像を示す情報の入力を受け付ける。端末送信部５２ｂにより、クライアント入力部５６で受け付けた情報を、サーバ装置１０に送信する。端末受信部５２ａにより、ネットワーク１２を介してサーバ装置１０から送信される検索結果としての商品画像を受信する。
【００７６】
尚、クライアント装置１１は、図１５に示した構成例に特に限定されない。クライアント装置１１は、ネットワーク１２に接続して通信を行う通信機能、画像を表示可能な表示機能、及びユーザ入力を受け付けるユーザ入力機能を有していればよい。例えば、携帯端末、パーソナルコンピュータ、タブレット端末等、各種のユーザ端末をクライアント装置１１として用いることが可能である。
【００７７】
次に、第１実施形態から第３実施形態に分けて、注目ブロック選択の各種の態様を説明する。
【００７８】
＜第１実施形態＞
第１実施形態の注目ブロック選択部１２０は、感性空間において、特定商品感性ブロックに隣接するブロックである隣接感性ブロック、特定商品感性ブロックに近接するブロックである近接感性ブロック、及び特定商品感性ブロックに部分的に重なるブロックである重複感性ブロックのうち、少なくとも１種類の感性ブロックを、商品画像検索のために注目する注目ブロックとして選択する。
【００７９】
尚、隣接感性ブロックは、感性空間における複数の感性ブロックのうちで、特定商品感性ブロックに境界が接している感性ブロックである。近接感性ブロックは、感性空間の複数の感性ブロックのうちで、特定商品感性ブロックに近接している感性ブロックであって、隣接感性ブロック以外に、特定商品感性ブロックに境界が接していない感性ブロックを含む。
【００８０】
まず、近接感性ブロックを注目ブロックとして選択する場合について、説明する。尚、本例は、感性語をグループ化した大ブロックと感性語ごとの小ブロックとを併用した場合である。
【００８１】
図１６において、符号２２０を付した座標位置が特定商品画像の物理量に対応する感性空間上の座標位置（以下「特定商品感性空間位置」という）である場合、この特定商品感性空間位置２２０からの感性特徴量の差が閾値以下である座標位置を含む感性ブロック（例えば符号２０２〜符号２０６を付した感性ブロック）を、注目ブロックとして選択する。ここで、特定商品感性空間位置として、特定商品画像の物理量に対応する感性語の座標位置を用いている。
【００８２】
各感性ブロックが近接感性ブロックであるか否かの判定について説明する。例えば、感性空間において特定商品感性空間位置２２０を中心点とした円２２１（ここで円は楕円を含む）を基準にして、その円２２１に重なる部分を有する感性ブロック及び円２２１の内側に存在する感性ブロックであって、特定商品感性ブロック２０１以外の感性ブロック２０２〜２０６を、近接感性ブロックと判定する。
【００８３】
上述のように特定商品感性ブロック２０１以外の注目ブロックとして、近接感性ブロックを商品画像の検索のために注目する注目ブロックとして選択した場合、画像検索結果の商品画像の数が不適切に多くなる場合がある。例えば、商品画像の総数が多い場合には、画像検索結果の商品画像の数も多くなり易い。即ち、クライアント装置１１に検索結果としての商品画像を表示した場合に、ユーザに推奨する商品の数が不適切に多くなってしまう。そこで、商品画像数に応じて、注目ブロック選択部１２０により円２２１の径を切り換えることにより、感性空間における近接感性ブロックの範囲を変更するようにしてもよい。
【００８４】
次に、近接感性ブロックのうち隣接感性ブロックのみを注目ブロックとして選択する場合について、説明する。
【００８５】
例えば、図５の感性空間において、符号Ｂ７を付した感性ブロックが特定商品感性ブロックである場合、特定商品感性ブロックＢ７に境界が隣接する符号Ｂ３、符号Ｂ６、符号Ｂ８、及び符号Ｂ１１を付した感性ブロックが隣接感性ブロックである。
【００８６】
また、図１７において、符号２２０を付した座標位置が特定商品画像の物理量に対応する感性空間上の座標位置（以下「特定商品感性空間位置」という）である場合、特定商品感性空間位置を含む符号２０１を付した感性ブロックが特定商品感性ブロックであり、この特定商品感性ブロック２０１に境界が接している符号２０２〜２０４の感性ブロックが、隣接感性ブロックである。即ち、図１７において、符号２３０を付した点線内のエリアに含まれる感性ブロックが注目ブロックとして選択される。このような選択により、特定商品感性ブロック２０１の例えば「女らしい」という感性語以外に、符号２０２の隣接感性ブロックの例えば「家庭的な」という感性語、及び、符号２０３の隣接感性ブロックの例えば「洗練された」、「スマートな」、「風流な」という感性語が、検索対象の商品画像に対応する感性語として特定されることになる。
【００８７】
上述のように特定商品感性ブロック２０１以外の注目ブロックとして、隣接感性ブロックのみを商品画像の検索のために注目する注目ブロックとして選択した場合、画像検索結果の商品画像の数が不適切に少なくなる場合がある。例えば、商品画像の総数が少ない場合には、画像検索結果の商品画像の数も少なくなり易い。即ち、クライアント装置１１に検索結果としての商品画像を表示した場合に、ユーザに推奨する商品の数が不適切に少なくなってしまう。そこで、商品画像数に応じて、図１６を用いて説明したように近接感性ブロックを注目ブロックとするか、図１７を用いて説明したように隣接感性ブロックのみを注目ブロックとするかを、注目ブロック選択部１２０により切り換えるようにしてもよい。
【００８８】
尚、図５、図１６及び図１７に例示した感性空間は、感性ブロック同士が互いに重ならないように感性ブロックが区画されているが、感性ブロック同士が部分的に重なることを許容して、感性空間に複数の感性ブロックを区画している場合がある。このように感性ブロック同士の重なりを許容した区画の場合、注目ブロック選択部１２０が、隣接感性ブロック及び／又は近接感性ブロックに加えて、指定商品感性ブロックに部分的に重なる感性ブロック（「重複感性ブロック」という）を注目ブロックとして選択するようにしてもよい。
【００８９】
図１８は、図１に示した商品検索システム１における商品検索処理の流れを示すフローチャートである。本例では、クライアント装置１１でユーザにより特定された商品の画像を特定商品画像として、検索を行う。
【００９０】
まず、サーバ装置１０の画面情報生成部１１４により代表商品一覧が画面情報として生成され、サーバ装置１０の出力部１１２ｂにより、代表商品一覧がクライアント装置１１に対して送信出力される（ステップＳ１０２）。代表商品一覧には、複数の代表商品の縮小画像が含まれている。また、代表商品一覧には、代表商品ごとの商品画像識別情報が付加されている。
【００９１】
クライアント装置１１の端末受信部５２ａにより代表商品一覧が受信入力されると、クライアント装置１１の制御部５８の制御により、クライアント装置１１の表示部５４に代表商品一覧が表示出力される（ステップＳ１０４）。
【００９２】
クライアント装置１１のクライアント入力部５６により、ユーザから商品の特定を受け付け、クライアント装置１１の端末送信部５２ｂにより、ユーザの特定した商品  に対応する商品画像識別情報（または）が、サーバ装置１０に対して送信出力される（ステップＳ１０６）。
【００９３】
サーバ装置１０の入力部１１２ａにより商品画像識別情報が受信入力されると（ステップＳ１０８）、サーバ装置１０の物理量取得部１１６により、商品画像識別情報に基づいて、商品データベース１０２から特定商品の画像の物理量を取得する（ステップＳ１１０）。
【００９４】
次に、サーバ装置１０の第１の変換部１１８は、取得された特定商品の画像の物理量を、特定商品の画像に対応するブロックである特定商品感性ブロックを示す情報に変換する（ステップＳ１１２）。本例の第１の変換部１１８は、画像の物理量に基づいて、変換データベース１０６から、特定商品感性ブロックに対応する感性空間情報（例えばブロック識別情報及び／又は感性語）を取得する。
【００９５】
次に、サーバ装置１０の注目ブロック選択部１２０により、感性空間データベース１０４を用い、注目ブロックが選択される（ステップＳ１２２）。
【００９６】
例えば、図１６に示す感性空間において、符号２０１の感性ブロックが特定商品感性ブロックであって、符号２０２〜符号２０６で示される感性ブロックが近接感性ブロックである場合、符号２０２〜符号２０６でそれぞれ示されるブロックが、注目ブロックとして選択される。尚、符号２０１の特定商品感性ブロックに対応する商品画像がクライアント装置１１で未表示である場合、注目ブロック選択部１２０は、符号２０１の特定商品感性ブロックを注目ブロックに含めることも可能である。
【００９７】
次に、サーバ装置１０の第２の変換部１２２は、注目ブロックを示す情報を、注目ブロックに対応する商品画像の物理量の範囲を示す情報（以下「物理量範囲情報」）に、変換する（ステップＳ１２４）。
【００９８】
注目ブロックを示す情報として、例えば、注目ブロックのブロック識別情報を用いる。図１１の変換データテーブルを用いる場合には、注目ブロックに対応する感性語を用いる。
【００９９】
物理量範囲情報は、図３に示す商品データベース１０２の場合、検索対象の商品画像における、色特徴量の範囲（上限値と下限値）、形特徴量の範囲（上限値と下限値）、柄特徴量の範囲（上限値と下限値）、及び、質感特徴量の範囲（上限値と下限値）、のうちいずれかを含む。色特徴量、形特徴量、柄特徴量、及び質感特徴量のうちの２種類以上の特徴量の組み合わせでもよい。
【０１００】
次に、サーバ装置１０のカテゴリ選択部１２３は、特定商品のカテゴリに基づいて、商品データベース１０２に登録されている複数のカテゴリのうちから検索対象カテゴリを選択する（ステップＳ１２５）。
【０１０１】
次に、サーバ装置１０の検索部１２４は、カテゴリ選択部１２３で選択された検索対象カテゴリ、及び第２の変換部１２２で得られた物理量範囲情報に基づいて、商品データベース１０２から、注目ブロックに対応する商品画像を検索する（ステップＳ１２６）。
【０１０２】
次に、サーバ装置１０の出力部１１２ｂは、検索部１２４の検索結果を、クライアント装置１１に対して送信出力する（ステップＳ１２８）。
【０１０３】
クライアント装置１１の端末受信部５２ａにより検索結果が受信入力されると、クライアント装置１１の制御部５８の制御により、クライアント装置１１の表示部５４に検索結果が表示出力される（ステップＳ１３０）。検索結果には、注目ブロックに対応する商品画像が含まれる。
【０１０４】
尚、検索結果は、クライアント装置１１において全ての商品画像を一回で表示させる場合には、限定されない。複数の商品画像が検索された場合、まず、複数の商品画像それぞれの複数の縮小画像をクライアント装置１１に対して送信出力してクライアント装置１１に表示出力させ、ユーザがクライアント装置１１で縮小画像の選択入力を行うと、そのユーザが選択入力した縮小画像に対応する商品画像の全体画像をクライアント装置１１に対して送信出力し表示させてもよい。
【０１０５】
＜第２実施形態＞
第２実施形態の注目ブロック選択部１２０は、特定商品の画像に対応する感性語である特定商品感性語とは反対の意味の感性語である反対感性語を含むブロックである反対語感性ブロックを、注目ブロックとして選択する。尚、特定商品感性語は、特定商品の画像を観察した人が画像から受ける印象を示す言葉である。
【０１０６】
例えば、図５の感性空間において、符号Ｂ９を付した感性ブロックが特定商品感性ブロックであって、ＷＯＲＤ１９が特定商品感性語であるものとする。この特定商品感性語ＷＯＲＤ１９とは反対の意味を持つ反対感性語がＷＯＲＤ１１及びＷＯＲＤ２５の二語である場合、ＷＯＲＤ１１の属する符号Ｂ６の感性ブロックとＷＯＲＤ２５の属する符号１２の感性ブロックの二ブロックが、反対語感性ブロックである。
【０１０７】
図１９に示す感性空間において、符号３０１の感性ブロックが特定商品感性ブロックであって、「カジュアルな」が特定商品感性語である場合、注目ブロック選択部１２０は、感性空間データベース１０４に基づいて、その特定商品感性語である「カジュアルな」とは反対の意味を持つ反対感性語を、感性空間に配置されている感性語のうちから選択する。例えば、符号３０２の感性ブロックに属する「気品のある」、符号３０３の感性ブロックに属する「洗練された」、及び符号３０４の感性ブロックに属する「風格のある」の三語が「気品のある」の反対感性語として感性空間データベース１０４に記憶されていた場合、符号３０２、符号３０３及び符号３０４の感性ブロックが、注目ブロックとして選択される。
【０１０８】
また、注目ブロック選択部１２０は、感性空間において特定商品感性ブロック３０１と反対語感性ブロック３０２〜３０４との間に配置されているブロック（例えば符号３０５〜３０７）も、注目ブロックとして選択するようにしてもよい。
【０１０９】
以上、図７に示した感性空間を用いた場合を例に説明したが、このような場合に本発明は特に限定されない。図８に示した感性空間を用いてもよい。
【０１１０】
＜第３実施形態＞
第３実施形態の外部入出力部１１２（ユーザ指定情報受付部の一形態に相当する）は、クライアント装置１１でユーザの指定した感性語及びユーザの指定した感性ブロックのうちの少なくとも一方を示すユーザ指定情報を、クライアント装置１１からネットワーク１２経由で受信入力する。そして第３実施形態の注目ブロック選択部１２０は、ユーザの指定した感性語に対応する感性ブロック又はユーザの指定した感性ブロックであるユーザ指定感性ブロックを、画像検索のために注目する注目ブロックとして選択する。
【０１１１】
図２０は、第３実施形態における商品検索処理例の流れを示すフローチャートである。図２０において、サーバ装置１０は図２に示した構成であり、クライアント装置１１は図１５に示した構成である。
【０１１２】
図２０のステップＳ３０１〜Ｓ３１２は、図１８に示したステップＳ１０２〜Ｓ１１２と同様であり、既に第１実施形態で説明したので、本実施形態では説明を省略する。
【０１１３】
本実施形態において、サーバ装置１０の出力部１１２ｂは、感性空間選択画面情報を、クライアント装置１１に対して送信出力する（ステップＳ３１４）。感性空間選択画面情報は、感性空間中の複数のブロックのうちからクライアント装置１１でユーザにひとつ又は複数のブロックを選択させるための画面情報である。
【０１１４】
クライアント装置１１の外部入出力部５２により感性空間選択画面情報が受信入力されると、クライアント装置１１の制御部５８の制御により、クライアント装置１１の表示部５４に感性空間選択画面が表示出力される（ステップＳ３１６）。
【０１１５】
クライアント装置１１のクライアント入力部５６により、ユーザから感性語又はブロックの選択を受け付け、クライアント装置１１の端末送信部５２ｂにより、ユーザの選択した感性語又はブロックを示すユーザ指定情報を、サーバ装置１０に対して送信出力する（ステップＳ３１８）。
【０１１６】
第１に、ユーザに感性語を指定させることで、ブロック指定させる態様がある。例えば、感性語の一覧をクライアント装置１１の表示部５４に表示させ、クライアント入力部５６からユーザが感性語一覧のいずれの感性語を選択入力したのかを検出する。第２に、ユーザにブロックを指定させることでブロック指定させる態様がある。例えば、図６に示す感性空間をクライアント装置１１の表示部５４に表示させ、クライアント入力部５６からユーザが感性空間のいずれの位置を指示入力したのかを検出する。
【０１１７】
サーバ装置１０の入力部１１２ａによりユーザ指定情報が受信入力されると（ステップＳ３２０）、サーバ装置１０の注目ブロック選択部１２０により、ユーザ指定情報に基づいて、ユーザの指定した感性語に対応するブロック又はユーザの指定したブロックであるユーザ指定感性ブロックを、注目ブロックとして選択する（ステップＳ３２２）。
【０１１８】
本例の注目ブロック選択部１２０は、感性空間において特定商品感性ブロックとユーザ指定感性ブロックとの間に配置されているブロックも、注目ブロックとして選択する。
【０１１９】
例えば図２１に示す感性空間において、符号４０１で示される感性ブロックが特定商品感性ブロックであって、符号４０２で示される感性ブロックがユーザ指定感性ブロックである場合、特定商品感性ブロック４０１とユーザ指定感性ブロック４０２との間に配置されている、例えば符号４０３及び符号４０４でそれぞれ示されるブロックも、注目ブロックとして選択される。
【０１２０】
特定商品感性ブロック４０１とユーザ指定感性ブロック４０２とを結ぶ軸の幅（図２１のＷ）を、商品画像数（あるいは商品数）に応じて、変更してもよい。この軸の幅Ｗは、感性空間において特定商品感性ブロック４０１とユーザ指定感性ブロック４０２との間のブロックを注目ブロックとして選択する幅の広さを示す。具体的には、商品画像数が多いほど幅Ｗを狭くし、商品画像数が少ないほど幅Ｗを広くする。ここで、「商品画像数」は、感性空間全体の商品画像数とした場合でもよいし、幅Ｗが規定値である場合に選択されるブロックに対応する商品画像数でもよい。
【０１２１】
図２０のステップＳ３２４〜Ｓ３３０は、図１８に示したステップＳ１２４〜Ｓ１３０と同様であり、既に第１実施形態で説明したので、本実施形態では説明を省略する。
よい。
【０１２２】
以上図７に示す感性空間を用いた場合を例に説明したが、このような場合に本発明は特に限定されず、図８に示した感性空間を用いてもよい。
【０１２３】
＜第４実施形態＞
第４実施形態の注目ブロック選択部１２０は、互いに反対の意味を持つ第１の感性語及び第２の感性語にそれぞれに対応するブロックである第１の感性語ブロック及び第２の感性語ブロックと特定商品感性ブロックの３つのブロックを結ぶ曲線上に配置されているブロックを、注目ブロックとして選択する。
【０１２４】
図２２は、図８の感性空間を用いた本実施形態の説明図である。図２２において、符号５０１を付したブロックと符号５０２を付したブロックとが互いに反対の意味の感性語を持つ組であり、符号５０３を付したブロックが特定商品感性ブロックである。
【０１２５】
本実施形態の注目ブロック選択部１２０は、符号５０１のブロック(第１の感性語ブロックに相当)と、特定商品感性ブロック５０３と、符号５０２のブロック（第２の感性語ブロックに相当）を結ぶ曲線上に配置されている符号５０１〜５１３のブロックを、注目ブロックとして選択する。
【０１２６】
＜サーバ装置の構成＞
図２３において、サーバ装置１０は、画像解析サーバ１４と、データベースサーバ１５と、メールサーバ１６と、ＷＥＢサーバ１７と、を含んで構成される。
【０１２７】
画像解析サーバ１４は、商品の外観を撮像して得られた商品画像を画像処理で解析することにより、各商品画像の物理量を計測する。画像解析サーバ１４によって計測された商品画像の物理量は、商品データベース１０２の一形態に相当するデータベースサーバ１５に送信され記憶される。本例の画像解析サーバ１４で計測される商品画像の物理計測量としては、色特徴量、形特徴量、柄特徴量、質感特徴量が挙げられる。
【０１２８】
メールサーバ１６は、ネットワーク１２を介して、クライアント装置１１との間で電子メールによる通信を行い、商品注文の受け付け及び確認を行う。
【０１２９】
ＷＥＢサーバ１７は、ネットワーク１２を介して、クライアント装置１１との間でインタラクティブな通信を行い、クライアント装置１１から特定商品の指定を受信入力し、クライアント装置１１に対して検索結果を送信出力する。
【０１３０】
図２に示したサーバ装置１０のうち、例えば、商品データベース１０２以外の各部（符号１０４〜１２４）は主としてＷＥＢサーバ１７によって構成することができる。
【０１３１】
尚、符号１４〜１７のサーバを世界のいずれの国に配置するかについては、特に限定されない。例えば、図２４に示すように、各サーバ１４〜１７をそれぞれＡ〜Ｄ国のそれぞれに配置してもよい。また、クライアント装置１１はサーバ１４〜１７のいずれも配置されていないＥ国でネットワーク１２に接続されてもよい。
【０１３２】
なお、本発明は、本明細書において説明した例や図面に図示された例には限定されず、本発明の要旨を逸脱しない範囲において、各種の設計変更や改良を行ってよいのはもちろんである。
【符号の説明】
【０１３３】
１０：サーバ装置、１１：クライアント装置、１２：ネットワーク、１００：商品検索装置、１０２：商品データベース、１０４：感性空間データベース、１０６：変換データベース、１０８：カテゴリ対身体位置データベース、１１２：サーバ装置の外部入出力部、１１４：画面情報生成部、１１６：物理量取得部、１１８：第１の変換部、１２０：注目ブロック選択部、１２２：第２の変換部、１２３：カテゴリ選択部、１２４：検索部
【図１】
2015162193.tif 000003
【図２】
2015162193.tif 000004
【図３】
2015162193.tif 000005
【図４】
2015162193.tif 000006
【図５】
2015162193.tif 000007
【図６】
2015162193.tif 000008
【図７】
2015162193.tif 000009
【図９】
2015162193.tif 000010
【図１０】
2015162193.tif 000011
【図１１】
2015162193.tif 000012
【図１２】
2015162193.tif 000013
【図１３】
2015162193.tif 000014
【図１４】
2015162193.tif 000015
【図１５】
2015162193.tif 000016
【図１６】
2015162193.tif 000017
【図１７】
2015162193.tif 000018
【図１８】
2015162193.tif 000019
【図１９】
2015162193.tif 000020
【図２０】
2015162193.tif 000021
【図２１】
2015162193.tif 000022
【図２３】
2015162193.tif 000023
【図２４】
2015162193.tif 000024
【図８】
2015162193.tif 000025
【図２２】
2015162193.tif 000026